(57)【要約】【課題】放電検出による一次動作停止後の管電圧上昇からＸ線管等を保護することができるようにしたＸ線高電圧装置を提供する。【解決手段】放電検出後、所定の休止期間後に高電圧発生器２を復帰させたとき、放電が生じた正管電圧側とは逆の負管電圧側に異常電圧Ｖ０が表れたのを負管電圧比較器４ｂが検出すると、タイマ手段３７の出力とエラー信号４４とによりＡＮＤ回路３８が出力し、一時停止手段が作動した後にＸ線管１に印加される管電圧が異常設定閾値よりも高いことを検出する保護手段が作動し、スイッチ３４を高電圧発生器２の出力が低下する側に切り替え、その後、再休止期間を経てスイッチ３４を復帰させ高電圧発生器２を再停止手段３５により復帰させる。【選択図】　　　　図１
2004022439.tif 000002
【特許請求の範囲】
【請求項１】
Ｘ線を発生させる中性点接地方式のＸ線管と、このＸ線管に高電圧を供給する高電圧発生器と、上記Ｘ線管に印加される管電圧を検出する電圧検出回路と、上記Ｘ線管での放電を検知する放電検出手段と、この放電検出手段による検出があったとき上記高電圧発生器を一定期間休止した後に復帰させる一時停止手段とを備えたＸ線高電圧装置において、上記一時停止手段が作動した後に上記Ｘ線管に印加される管電圧が異常設定閾値よりも高いことを検出する保護手段と、この保護手段による検出があったとき上記高電圧発生器の出力を低下させ一定期間後に上記高電圧発生器を復帰させる再停止手段とを設けたことを特徴とするＸ線高電圧装置。
【請求項２】
請求項１記載のものにおいて、上記保護手段は、上記高電圧発生器を一定期間休止した後に復帰させてから所定の管電圧に達するまでの間を監視するタイマ手段を有し、このタイマ手段による監視中に異常設定閾値よりも高い管電圧を検出することを特徴とするＸ線高電圧装置。
【発明の詳細な説明】
【０００１】
【発明の属する技術分野】
本発明はＸ線高電圧装置に係り、特にＸ線管内での放電を検出したとき一定期間休止した後に復帰させる一時停止手段を有したＸ線高電圧装置に関する。
【０００２】
【従来の技術】
従来のＸ線高電圧装置において、Ｘ線管内での微小放電からの復帰動作に関連して、例えば特開平１１−２８９７８９号公報や特開２００１−１８９２００号公報に記載のように、管電圧の急降下や管電流の増加などの現象によりＸ線管内での放電が検出された場合の復帰や、連続して放電が起こった場合や長期間にわたって放電が続いた場合、一時動作を停止し、その後、再度放電復帰処理を行なうようにしたものが知られている。
【０００３】
【発明が解決しようとする課題】
しかしながら、中性点接地方式のＸ線管を用いたＸ線高電圧装置では、図３に示すように管電圧の正側あるいは負側と中性点間で放電Ｓが起こった場合、この放電検出後に一時的に高電圧発生器の動作を停止し、休止期間ｔ１後に復帰処理を行なったとしても、放電Ｓが起こらなかった方の管電圧が上昇して過電圧Ｖ０が表れ、Ｘ線管や他の回路構成部品の電気絶縁に対してダメージを与えてしまうことがある。
【０００４】
本発明の目的は、放電検出による一次動作停止後の管電圧上昇からＸ線管等を保護することができるようにしたＸ線高電圧装置を提供するにある。
【０００５】
【課題を解決するための手段】
本発明は上記目的を達成するために、Ｘ線を発生させる中性点接地方式のＸ線管と、このＸ線管に高電圧を供給する高電圧発生器と、上記Ｘ線管に印加される管電圧を検出する電圧検出回路と、上記Ｘ線管での放電を検知する放電検出手段と、この放電検出手段による検出があったとき上記高電圧発生器を一定期間休止した後に復帰させる一時停止手段とを備えたＸ線高電圧装置において、上記一時停止手段が作動した後に上記Ｘ線管に印加される管電圧が異常設定閾値よりも高いことを検出する保護手段と、この保護手段による検出があったとき上記高電圧発生器の出力を低下させ一定期間後に上記高電圧発生器を復帰させる再停止手段とを設けたことを特徴とする。
【０００６】
本発明によるＸ線高電圧装置は、一時停止手段が作動した後にＸ線管に印加される管電圧が異常設定閾値よりも高いことを検出する保護手段と、この保護手段が作動したとき上記高電圧発生器の出力を低下させ一定期間後に高電圧発生器を復帰させる再停止手段とを設けたため、Ｘ線管での放電検出による一時動作停止後に、放電が起こらなかった方の管電圧が上昇して異常設定閾値よりも高くなると、保護手段がこれを検出して高電圧発生器の出力を低下させ、その一定時間後に再停止手段によって高電圧発生器を復帰させるので、上述した異常な管電圧の上昇からＸ線管や他の回路構成部品を保護し絶縁性を改善することができる。
【０００７】
また本発明の請求項２に記載したものでは上記目的を達成するために、請求項１に記載のものにおいて、上記保護手段は、上記高電圧発生器を一定期間休止した後に復帰させてから所定の管電圧に達するまでの間を監視するタイマ手段を有し、このタイマ手段による監視中に異常設定閾値よりも高い管電圧を検出することを特徴とする。
【０００８】
この請求項２に記載の発明によるＸ線高電圧装置は、高電圧発生器を一定期間休止した後に復帰させてから所定の管電圧に達するまでの間を監視するタイマ手段を設けたため、このタイマ手段により、一定期間休止後の高電圧装置の復帰時から管電圧の立ち上がり時定数によって所定の管電圧に達するまでを監視して、他の過電圧とは区別して、放電に対する高電圧発生器の復帰中に反対の負電圧側あるいは正電圧側で過電圧が発生したのを確実に検出することができる。
【０００９】
【発明の実施の形態】
以下、本発明の実施の形態を図面に基づいて説明する。
図１は、本発明の一実施の形態によるＸ線高電圧装置を示すブロック構成図である。
中性点接地方式のＸ線管１には、高電圧発生器２からの高圧直流電圧が印加されてＸ線を放射するようにして、例えば詳細な図示を省略したＸ線ＣＴ装置が構成されている。このＸ線管１には、正側管電圧を検出する正管電圧検出回路４１と、負側管電圧を検出する負管電圧検出回路４２とが設けられ、それらの検出結果が管電圧測定部４に送られている。管電圧測定部４からの信号は、高電圧制御部３を介して高電圧発生器２に与えられて高電圧発生器２が制御されている。
【００１０】
管電圧測定部４には、正管電圧検出回路４１で検出した正側管電圧が所定の閾値を超えたことを検出する正管電圧比較器４ａと、負管電圧検出回路４２で検出した負側管電圧が所定の閾値を超えたことを検出する負管電圧比較器４ｂと、正管電圧検出回路４１および負管電圧検出回路４２の和から管電圧を検出する管電圧検出器４ｃとが設けられている。これら正管電圧比較器４ａと負管電圧比較器４ｂの出力はそれぞれＯＲ回路３９に入力され、このＯＲ回路３９はいずれか一方の管電圧が所定の閾値を超えたときエラー信号４４を出力するように構成している。
【００１１】
高電圧制御部３にはレギュレータ回路３２が設けられ、このレギュレータ回路３２には、管電圧測定部４の管電圧検出器４ｃからの管電圧検出値４０を入力し、管電圧目標値３０と比較しながらスイッチ３２を介して高電圧発生器２に制御量３１を出力している。またこの高電圧制御部３には詳細を後述するようにＸ線管１での放電を検知する放電検出手段３３と、この放電検出手段３３による検出があったとき高電圧発生器２を一定期間休止した後に復帰させる一時停止手段と、この一時停止手段が作動した後にＸ線管１に印加される管電圧が異常設定閾値よりも高いことを検出する保護手段と、この保護手段が作動したとき高電圧発生器２を一定期間出力を低下しその後に高電圧発生器２を復帰させる再停止手段３５とを構成している。
【００１２】
上述した放電検出手段３３は、管電流測定部４の管電圧検出器４ｃからの管電圧検出値４０を放電検出手段３３に取り込み、その電圧変化率等から放電の発生を検出している。また一時停止手段は、この放電検出手段３３の検出信号をタイマ手段３６を介してスイッチ３４に与えてスイッチをＲｌｏｗ側、つまり停止側に切り替えて高電圧発生器２を停止させ、タイマ手段３６が所定時間をカウントした後にスイッチ３４を元の状態に切り替えて高電圧発生器２を復帰するように構成している。
【００１３】
また上述した保護手段は、放電検出手段３３が放電を検出したときからカウントを開始し管電圧の立ち上がり時定数を考慮して定格の管電圧に達するまでをカウントするタイマ手段３７を有し、このタイマ手段３７の出力を一番目の条件とすると共に、正管電圧比較器４ａおよび負管電圧比較器４ｂのいずれか一方で所定の閾値を超えた異常電圧を検出したときのＯＲ回路３９のエラー信号４４を二番目の条件としてＡＮＤ回路３８に与え、先の一時停止手段が作動した後にＸ線管１に印加される管電圧が異常設定閾値よりも高いことを検出するようにしている。さらに上述した再停止手段３５は、ＡＮＤ回路３５の出力があったときスイッチ３４をＲｌｏｗ側に切り替えて高電圧発生器２の出力を低下させると共に、タイマ手段４０が所定時間を経過したときスイッチ３４を復帰させて高電圧発生器２を復帰させるように構成している。
【００１４】
図２は、上述したＸ線高電圧装置の動作を示すＸ線管の管電圧を示す波形図である。
今、図示のように正管電圧側に放電Ｓが起こった場合、最終的には図１に示した放電検出手段３３で管電圧検出値の変化率から放電Ｓが発生したことを検出する。この検出結果は放電検出手段３３からタイマ手段３６を介してスイッチ３４に与えられ、スイッチ３４をＲｌｏｗ側、つまり高電圧発生器２を停止する信号として与えられる。しかし、タイマ手段３６で設定した所定時限で決まる休止期間ｔ１が経過すると、この切り替え信号は停止しスイッチ３４を復帰させ、高電圧発生器２を復帰させる。
【００１５】
高電圧発生器２の復帰によって管電圧は図２のように立ち上がり時定数に従って立ち上がるが、所定の管電圧に達するまでに放電Ｓが生じた正管電圧側とは逆の負管電圧側に異常電圧Ｖ０が表れ、図１に示した負管電圧検出回路４２で検出した異常電圧Ｖ０が所定の閾値を超えたことを負管電圧比較器４ｂが検出すると、ＯＲ回路３９がエラー信号４４を出力する。既に放電検出手段３３では管電圧検出値の変化率から放電Ｓが発生したことを検出しており、このときからタイマ手段３７がカウントを開始しており、このタイマ手段３７の出力とエラー信号４４とによってＡＮＤ回路３８が出力し、一時停止手段が作動した後にＸ線管１に印加される管電圧が異常設定閾値よりも高いことを検出する保護手段が作動したことになる。
【００１６】
すると、ＡＮＤ回路３８の出力によって再復帰手段３５が信号を出してスイッチ３４をＲｌｏｗ側、つまり高電圧発生器２の出力を低下する側に切り替えるため、図２に示すように負管電圧が低下する。その後、この負管電圧低下は負管電圧比較器４ｂによって検出され、エラー信号４４は解除されてＡＮＤ回路３８の出力が断たれ、あるいはタイマ手段４０が所定時限を経過することにより、再復帰手段３５は図２に示した再休止期間ｔ２を経てスイッチ３４を復帰させ高電圧発生器２を復帰させることになり、保護手段が作動したとき高電圧発生器２を一定期間停止しその後に高電圧発生器２を復帰させる再停止手段３５が作動したことになる。
【００１７】
このようにしてＸ線高電圧装置は、Ｘ線管１の正電圧側あるいは負電圧側で発生した放電に対してＸ線管１での放電を検知する放電検出手段３３を設け、この放電検出手段３３による検出があったとき所定の休止時間ｔ１だけ高電圧発生器２を停止させた後に復帰する一時停止手段を設けたため、所定の放電復帰期間で高電圧発生器２を復帰することができる。しかも、その復帰中に、反対の負電圧側あるいは正電圧側で過電圧Ｖ０が発生しても、タイマ手段３７による信号と、負管電圧比較器４ｂあるいは正管電圧比較器４ａによるエラー信号４４とによる保護手段により、一時停止手段が作動した後にＸ線管１に印加される管電圧が異常設定閾値よりも高いことを検出し、再停止手段３５によりこの保護手段による検出があったとき高電圧発生器の出力を低下させ一定期間ｔ２後に高電圧発生器２を復帰させることができるため、この過電圧Ｖ０からＸ線管１や他の回路構成部品を保護することができる。
【００１８】
また放電検出手段３３によって放電Ｓを検出したときに作動するタイマ手段３７を設け、このタイマ手段３７は、休止期間ｔ１経過後の高電圧装置２の復帰時から管電圧の立ち上がり時定数によって所定の管電圧に達するまでを設定したため、他の過電圧とは区別して、放電Ｓに対する高電圧発生器２の復帰中に反対の負電圧側あるいは正電圧側で過電圧Ｖ０が発生したのを確実に検出することができる。
【００１９】
【発明の効果】
以上説明したように本発明のＸ線高電圧装置によれば、中性点接地方式のＸ線管において管電圧の正側あるいは負側と中性点間で放電が起こった場合、一時的に動作を停止し復帰処理を行なうだけでなく、復帰処理中に、放電が起こらなかった方の管電圧が上昇して過電圧が発生した場合も、再び一定期間休止した後に復帰させることができるようになり、Ｘ線管や他の回路構成部品を過電圧から保護して絶縁性を改善することができる。
【図面の簡単な説明】
【図１】本発明の一実施の形態によるＸ線高電圧装置を示すブロック構成図である。
【図２】図１に示したＸ線高電圧装置の動作を示す管電圧波形図である。
【図３】従来のＸ線高電圧装置の動作を示す管電圧波形図である。
【符号の説明】
１　Ｘ線管
２　高電圧発生器
３　高電圧制御部
４　管電圧測定部
４ａ　正管電圧比較器
４ｂ　負管電圧比較器
４ｃ　管電圧検出器
３３　放電検出手段
３４　スイッチ
３５　再復帰手段
３６，３７　タイマ手段
３８　ＡＮＤ回路
３９　ＯＲ回路
４０　タイマ手段
【図１】
2004022439.tif 000003
【図２】
2004022439.tif 000004
【図３】
2004022439.tif 000005